(57)【要約】  ハウジング部材（２０２）と、ハウジング部材（２０２）に結合された電極ボード（２０４）と、ハウジング部材（２０２）と電極ボード（２０４）との間に配置された１つ以上の弾性部材（２１２）と、電極ボード（２０４）に結合され、ハウジング部材（２０２）に対して電極ボード（２０４）を位置合わせするように構成されている１つ以上の位置合わせ部材（２１６）と、電極ボード（２０４）に力を加えるためにハウジング部材（２０２）に結合されたカバー（８０４）とを備えている静電容量式ボタンインターフェースアセンブリ（１００）およびその組み立て方法。【選択図】図３
2021532554.tif 000002
【特許請求の範囲】
【請求項１】
静電容量式ボタンインターフェースアセンブリであって、
ハウジング部材２０２と、
前記ハウジング部材２０２に結合された電極ボード２０４と、
前記ハウジング部材２０２と前記電極ボード２０４との間に配置された１つ以上の弾性部材２１２と、
前記電極ボード２０４に結合され、前記ハウジング部材２０２に対して前記電極ボード２０４を位置合わせするように構成されている１つ以上の位置合わせ部材２１６と、
前記電極ボード２０４に力を加えるために前記ハウジング部材２０２に結合されたカバー８０４と
を備えている、静電容量式ボタンインターフェースアセンブリ。
【請求項２】
前記１つ以上の位置合わせ部材２１６の各位置合わせ部材が、
ボルト６０２と、
ナット６０４と
を備えている、請求項１に記載の静電容量式ボタンインターフェースアセンブリ。
【請求項３】
前記ボルト６０２が、前記カバー８０４が前記ハウジング部材２０２に結合されているときに、前記ハウジング部材２０２と接触していないボルトヘッド６０６を含む、請求項２に記載の静電容量式ボタンインターフェースアセンブリ。
【請求項４】
前記ナット６０４が、前記電極ボード２０４に圧入されている、請求項２から３のいずれか一項に記載の静電容量式ボタンインターフェースアセンブリ。
【請求項５】
前記ハウジング部材２０２が、１つ以上の位置合わせ部材シート７０８を含む、請求項１から４のいずれか一項に記載の静電容量式ボタンインターフェースアセンブリ。
【請求項６】
１つ以上のバネ蓋２１４をさらに備え、前記１つ以上のバネ蓋２１４の各バネ蓋が前記１つ以上の弾性部材２１２の各弾性部材と前記電極ボード２０４との間に配置されている、請求項１から５のいずれか一項に記載の静電容量式ボタンインターフェースアセンブリ。
【請求項７】
前記ハウジング部材２０２が、１つ以上の弾性部材シート７０２を含む、請求項１から６のいずれか一項に記載の静電容量式ボタンインターフェースアセンブリ。
【請求項８】
前記カバー８０４が前記カバー８０４に結合されていないときに、前記１つ以上の弾性部材２１２が第１の距離７０４に圧縮され、前記カバー８０４が前記カバー８０４に結合されているときに、前記１つ以上の弾性部材２１２が第２の距離９０２に圧縮される、請求項１から７のいずれか一項に記載の静電容量式ボタンインターフェースアセンブリ。
【請求項９】
前記ハウジング部材２０２に結合されたディスプレイパネル１０４をさらに備えている、請求項１から８のいずれか一項に記載の静電容量式ボタンインターフェースアセンブリ。
【請求項１０】
前記電極ボード２０４が前記ハウジング部材２０２に結合されているときに、前記電極ボード２０４が、前記ディスプレイパネル１０４の周囲を囲むように構成されている、請求項９に記載の静電容量式ボタンインターフェースアセンブリ。
【請求項１１】
静電容量式ボタンインターフェースアセンブリの組み立て方法であって、
ハウジング部材２０２を提供するステップと、
第１の端部２１８ａと第２の端部２１８ｂを有する１つ以上の弾性部材２１２を第１の端部２１８ａの前記ハウジング部材２０２に配置するステップと、
前記１つ以上の弾性部材２１２の前記第２の端部２１８ｂに電極ボード２０４を配置するステップと、
１つ以上の位置合わせ部材２１６を使用して、前記ハウジング部材２０２に対して前記電極ボード２０４を位置合わせするステップと、
前記カバー８０４が前記電極ボード２０４と接触し前記電極ボード２０４に力を加えるように前記カバー８０４を前記ハウジング部材２０２に結合するステップと
を含む、方法。
【請求項１２】
１つ以上の位置合わせ部材２１６を使用して、前記ハウジング部材２０２に対して前記電極ボード２０４を位置合わせするステップが、前記ハウジング部材２０２の開口部にボルト６０２を挿入するステップと、前記電極ボード２０４に配置されたナット６０４に前記ボルト６０２を締め付けるステップとをさらに含む、請求項１１に記載の方法。
【請求項１３】
前記ナット６０４を前記電極ボード２０４に圧入するステップをさらに含む、請求項１２に記載の方法。
【請求項１４】
前記カバー８０４が前記ハウジング部材２０２に結合された後に、ボルトヘッド６０６が、もはや前記ハウジング部材２０２と接触していない、請求項１２から１３のいずれか一項に記載の方法。
【請求項１５】
前記ハウジング部材２０２の縁７０６に沿って１つ以上の詰め木を配置するステップと、前記１つ以上の位置合わせ部材２１６を使用して、前記ハウジング部材２０２に対して前記電極ボード２０４を位置合わせするときに、前記１つ以上の詰め木を取り外すステップとをさらに含む、請求項１１から１４のいずれか一項に記載の方法。
【請求項１６】
前記１つ以上の弾性部材２１２ボードの各弾性部材の第２の端部２１８ｂにバネ蓋２１４を配置するステップをさらに含む、請求項１１から１５のいずれか一項に記載の方法。
【請求項１７】
前記ハウジング部材２０２が、１つ以上の弾性部材シート７０２を含む、請求項１１から１６のいずれか一項に記載の方法。
【請求項１８】
前記カバー８０４が前記カバー８０４に結合されていないときに、前記１つ以上の弾性部材２１２が第１の距離７０４に圧縮され、前記カバー８０４が前記カバー８０４に結合されているときに、前記１つ以上の弾性部材２１２が第２の距離９０２に圧縮される、請求項１１から１７のいずれか一項に記載の方法。
【請求項１９】
前記ハウジング部材２０２が、ディスプレイパネル１０４をさらに備えており、前記ディスプレイパネル１０４の周囲の周りに前記電極ボード２０４を位置合わせするステップをさらに含む、請求項１１から１８のいずれか一項に記載の方法。
【発明の詳細な説明】
【技術分野】
【０００１】
以下に記載の実施形態は、タッチセンサーおよび、より具体的には、静電容量式タッチセンサーに関する。
【背景技術】
【０００２】
産業用アプリケーションでは、多くの場合、プロセスを制御するために専門的な機器が必要になる。このような機器の１つが流量計であり、流量計は、液体、気体、液体と気体の組み合わせ、液体に懸濁した固体、気体と懸濁した固体とを含む液体など、パイプラインを流れる材料の質量流量、密度、および他の特性を測定するために使用することができる。流量計は、流量を測定するために（すなわち、流量計を流れる質量流量を測定することによって）使用することができ、さらに、流れ内の成分の相対比率を決定するために使用することができる。流量計は、例えば、オペレーターがアクセスできるインターフェースを介して遠隔測定および状態を提供することができる。流量計によって提供されるデータを使用して、バルブやポンプなどの他の機器がパイプラインを流れる材料を制御する場合がある。
【発明の概要】
【発明が解決しようとする課題】
【０００３】
流量計は、広範囲の産業用アプリケーションに使用することができる。その結果、流量計は、多くの場合、広範囲の環境仕様を満たす必要がある。例えば、温度サイクルや腐食性環境にさらされている間、流量計は、高湿度で確実に機能する必要がある場合がある。これらの環境では、オペレーターから入力されたデータを受信するために流量計が必要になる場合もある。データを入力するために、オペレーターは、通常、インターフェースのボタンを押す。環境条件により、先行技術のインターフェースのボタンは、性能の問題を起こしやすい可能性がある。例えば、機械式ボタンは、高湿度環境で腐食する可能性がある。赤外線ボタンは、高温と低温の両方で確実に動作するために、較正ルーチンが必要になる場合がある。その結果、先行技術のボタンを介して入力されたデータは、エラーを含む可能性がある。
【０００４】
静電容量式タッチボタンは、連接要素が含まれておらず、静電容量式タッチボタン電子機器がカバーによって腐食から保護されているため、これらの問題のいくつかに対処する。しかし、静電容量式ボタンが適切に機能するためには、ユーザーの指が接触するカバーと、ユーザーの指の存在を検出する静電容量式ボタン電極が接触している必要がある。公差スタックに寄与する多くの部品を備えたボタンアセンブリでは、組み立て後に電極が保護カバーに対して適切に配置されていることを保証することが難しい場合がある。さらに、プロセス環境は、多くの場合、振動を含み、静電容量式タッチボタンカバーに対する電極の位置が変わる可能性がある。したがって、組み立てが容易で安価であり、広範囲の環境条件で確実な位置合わせおよび接触を行う静電容量式ボタンインターフェースアセンブリが必要である。
【課題を解決するための手段】
【０００５】
静電容量式ボタンインターフェースアセンブリが提供される。静電容量式ボタンインターフェースアセンブリは、ハウジング部材と、ハウジング部材に結合された電極ボードと、ハウジング部材と電極ボードとの間に配置された１つ以上の弾性部材と、電極ボードに結合され、ハウジング部材に対して電極ボードを位置合わせするように構成されている１つ以上の位置合わせ部材と、電極ボードに力を加えるためにハウジング部材に結合されたカバーとを備えている。
【０００６】
静電容量式ボタンインターフェースアセンブリの組み立て方法が提供される。本方法は、ハウジング部材を提供するステップと、第１の端部と第２の端部を有する１つ以上の弾性部材を第１の端部のハウジング部材に配置するステップと、１つ以上の弾性部材の第２の端部に電極ボードを配置するステップと、１つ以上の位置合わせ部材を使用して、ハウジング部材に対して電極ボードを位置合わせするステップと、カバーが電極ボードと接触し電極ボードに力を加えるようにカバーをハウジング部材に結合するステップとを含む。
（態様）
さらなる態様では、１つ以上の位置合わせ部材の各位置合わせ部材は、ボルトとナットとを備えることができる。
【０００７】
さらなる態様では、ボルトは、カバーがハウジング部材に結合されているときに、ハウジング部材と接触していないボルトヘッドを含むことができる。
【０００８】
さらなる態様では、ナットを電極ボードに圧入することができる。
【０００９】
さらなる態様では、ハウジング部材は、１つ以上の位置合わせ部材シートを含むことができる。
【００１０】
さらなる態様では、静電容量式ボタンインターフェースアセンブリは、１つ以上のバネ蓋をさらに備え、１つ以上のバネ蓋の各バネ蓋を１つ以上の弾性部材の各弾性部材と電極ボードとの間に配置することができる。
【００１１】
さらなる態様では、ハウジング部材は、１つ以上の弾性部材シートを含むことができる。
【００１２】
さらなる態様では、カバーがカバーに結合されていないときに、１つ以上の弾性部材を第１の距離に圧縮することができ、カバーがカバーに結合されているときに、１つ以上の弾性部材を第２の距離に圧縮する。
【００１３】
さらなる態様では、静電容量式ボタンインターフェースアセンブリは、ハウジング部材に結合されたディスプレイパネルをさらに備えることができる。
【００１４】
さらなる態様では、電極ボードがハウジング部材に結合されているときに、電極ボードは、ディスプレイパネルの周囲を囲むように構成することができる。
【００１５】
さらなる態様では、１つ以上の位置合わせ部材を使用して、ハウジング部材に対して電極ボードを位置合わせするステップは、ハウジング部材の開口部にボルトを挿入するステップと、電極ボードに配置されたナットにボルトを締め付けるステップとをさらに含むことができる。
【００１６】
さらなる態様では、本方法は、ナットを電極ボードに圧入するステップをさらに含むことができる。
【００１７】
さらなる態様では、カバーがハウジング部材に結合された後に、ボルトヘッドは、もはやハウジング部材と接触していなくてもよい。
【００１８】
さらなる態様では、本方法は、ハウジング部材の縁に沿って１つ以上の詰め木を配置するステップと、１つ以上の位置合わせ部材を使用して、ハウジング部材に対して電極ボードを位置合わせするときに、１つ以上の詰め木を取り外すステップとをさらに含むことができる。
【００１９】
さらなる態様では、本方法は、１つ以上の弾性部材ボードの各弾性部材の第２の端部にバネ蓋を配置するステップをさらに含むことができる。
【００２０】
さらなる態様では、ハウジング部材は、１つ以上の弾性部材シートを含むことができる。
【００２１】
さらなる態様では、カバーがカバーに結合されていないときに、１つ以上の弾性部材を第１の距離に圧縮することができ、カバーがカバーに結合されているときに、１つ以上の弾性部材を第２の距離に圧縮することができる。
【００２２】
さらなる態様では、ハウジング部材は、ディスプレイパネルをさらに備えることができ、本方法は、ディスプレイパネルの周囲の周りに電極ボードを位置合わせするステップをさらに含むことができる。
【図面の簡単な説明】
【００２３】
同じ参照番号は、すべての図面で同じ要素を表す。図面は必ずしも原寸に比例していないことを理解されたい。
【図１】例による静電容量式ボタンインターフェースアセンブリの正面平面図を示す図である。
【図２】例によるハウジング部材および電極ボードの斜視図を示す図である。
【図３】例によるハウジング部材および電極ボードの分解斜視図を示す図である。
【図４】例によるハウジング部材および電極ボードのさらなる分解斜視図を示す図である。
【図５】例によるバネ蓋付きバネを示す図である。
【図６】例によるナット付きボルトを示す図である。
【図７】例による電極ボードを備えたハウジング部材の斜視断面図を示す図である。
【図８】例による静電容量式ボタンインターフェースアセンブリの分解斜視図を示す図である。
【図９】例による静電容量式ボタンインターフェースアセンブリの断面図を示す図である。
【図１０】例による方法１０００を示す図である。
【図１１】例による方法１１００を示す図である。
【発明を実施するための形態】
【００２４】
図１から図１１および以下の説明は、静電容量式ボタンインターフェースアセンブリの実施形態の最良の形態を作成および使用する方法を当業者に教示するための具体例を示している。発明の原理を教示する目的で、いくつかの従来の態様は単純化または省略されている。当業者は、本明細書の範囲に入るこれらの例からの変形を理解するであろう。当業者は、以下に記載の特徴を種々組み合わせて静電容量式タッチセンサーの複数の変形を形成できることを理解するであろう。その結果、以下に記載の実施形態は、以下に記載の具体例に限定されず、特許請求の範囲およびそれらの同等物によってのみ限定される。
【００２５】
図１は、静電容量式ボタンインターフェースアセンブリ１００の正面平面図を示している。分かるように、静電容量式ボタンインターフェースアセンブリ１００は、カバーの下に配置されている１つ以上の静電容量式タッチボタン１０２を含む（図１には図示せず）。静電容量式ボタンインターフェースアセンブリ１００は、ディスプレイパネル１０４をさらに含むことができる。
【００２６】
静電容量式ボタンインターフェースアセンブリ１００は、ユーザーが静電容量式タッチボタン１０２を介して１つ以上の機器を操作することを可能することができる。例では、静電容量式ボタンインターフェースアセンブリ１００は、プロセスを監視するために流量計などの機器とともに使用することができる。静電容量式ボタンインターフェースアセンブリ１００は、壁またはパイプスタンドに取り付けられ、流量計（図示せず）に結合されて流量、密度などの材料特性を監視することができる。静電容量式ボタンインターフェースアセンブリ１００はまた、流量計と一体的に取り付けることができる。静電容量式ボタンインターフェースアセンブリ１００はまた、海上アプリケーションなどの危険で制御されていない環境を含む広範囲の環境条件で使用することができる。流量計からデータを受信することに加えて、静電容量式ボタンインターフェースアセンブリ１００はまた、オペレーターから入力されたデータを受信することができる。静電容量式ボタンインターフェースアセンブリ１００にデータを入力するために、オペレーターは、プレートを介して指またはスタイラスなどの他の物を感知する静電容量式ボタンインターフェースアセンブリ１００を押す。
【００２７】
図２から図９は、静電容量式ボタンインターフェースアセンブリ１００が含むことができる種々の部品を示している。図２、図３、図４、図７および図８は、組み合わされた電極ボードとハウジング部材アセンブリ２００の種々の図を示している。図２および図７では、組み合わされた電極ボードとハウジング部材アセンブリ２００は完全に組み立てられている。図３および図４では、組み合わされた電極ボードとハウジング部材アセンブリ２００が分解されている。図５は、弾性部材２１２の詳細を示しており、図６は、組み立てられたときに、組み合わされた電極ボードとハウジング部材アセンブリ２００の一部である位置合わせ部材２１６の詳細を示している。図８は、カバー８０４、組み合わされた電極ボードとハウジング部材アセンブリ２００、ならびに結合部材８０２と結合部材８０６の分解斜視図を示している。図９は、完全に組み立てられた静電容量式ボタンインターフェースアセンブリ１００の断面図を示している。
【００２８】
ハウジング部材２０２は、静電容量式ボタンインターフェースアセンブリ１００の部品の少なくとも一部を覆い、保護し、または囲む。図２、図３、図４、図７、図８および図９は、例示的なハウジング部材２０２の種々の斜視図を示している。図４および図８から最もよく分かるように、例示的なハウジング部材２０２は、ベゼル形状である。しかし、さらなる例では、当業者によって理解されるように、ハウジング部材２０２の他の形状またはフォーマットが可能である。
【００２９】
静電容量式ボタンインターフェースアセンブリ１００は、ハウジング部材２０２に結合された電極ボード２０４をさらに含む。電極ボード２０４は、基板の表面に設けられた静電容量式タッチボタン用の少なくとも１つの電極を備えた基板を備えている。電極ボード２０４に配置された１つ以上の電極は、静電容量式タッチインターフェース回路（図示せず）に結合されている。図２、図３、図４、図８および図９は、電極ボードの種々の斜視図を示している。４つの静電容量式タッチボタン１０２を形成するための４つの電極を含む例示的な電極ボード２０４が示されているが、これは限定することを意図するものではない。例では、電極ボード２０４は、任意の数の電極を備えることができる。
【００３０】
静電容量式ボタンインターフェースアセンブリ１００は、ハウジング部材２０２と電極ボード２０４との間に配置された１つ以上の弾性部材２１２をさらに備えている。本例では、１つ以上の弾性部材２１２は、３つのコイルを備えている。しかし、さらなる例では、弾性部材は、当業者に知られている任意の数またはタイプの機械式バネを備えることができる。図３、図４、図５、図７および図９は、１つ以上の弾性部材２１２の種々の斜視図を示している。
【００３１】
静電容量式ボタンインターフェースアセンブリ１００は、電極ボード２０４に結合された１つ以上の位置合わせ部材２１６をさらに含む。１つ以上の位置合わせ部材２１６は、ハウジング部材２０２に対して電極ボード２０４を位置合わせするように構成されている。図示の例では、１つ以上の位置合わせ部材２１６は、ボルト６０２とナット６０４とを備えている。図６は、位置合わせ部材の詳細を示し、図３、図４、図７および図９は、静電容量式ボタンインターフェースアセンブリ１００内の１つ以上の位置合わせ部材の種々の斜視図を示している。
【００３２】
例では、図７に示されるように、ナット６０４を電極ボード２０４に圧入することができる。
【００３３】
１つ以上の位置合わせ部材２１６は、ハウジング部材２０２に対して電極ボード２０４を位置合わせするのに役立つことができる。例では、位置合わせ部材２１６は、電極ボード２０４に平行な方向の電極ボード２０４に位置合わせすることができる。しかし、さらなる例では、位置合わせ部材２１６は、電極ボード２０４に垂直な方向に位置合わせすることができる。
【００３４】
図２、図７、図８および図９に示されるように、電極ボード２０４とハウジング部材２０２アセンブリが組み立てられるときに、１つ以上の弾性部材２１２は、ハウジング部材２０２と電極ボード２０４との間に配置される。ハウジング部材２０２と電極ボード２０４との間に少なくとも部分的に配置されている１つ以上の位置合わせ部材２１６は、ハウジング部材２０２に対して電極ボード２０４を位置合わせし、いくつかの例では、電極ボード２０４をハウジング部材２０２に結合する。
【００３５】
静電容量式ボタンインターフェースアセンブリ１００は、ハウジング部材に結合されたカバー８０４をさらに含む。カバー８０４は、ガラス、プラスチック、またはアクリルを含むがこれらに限定されない任意の誘電材料を含むことができる。カバー８０４が静電容量式ボタンインターフェースアセンブリ１００内に組み立てられるときに、カバー８０４は、弾性部材２１２に向けて電極ボードに力を加える。
【００３６】
図７に示されるように、１つ以上の位置合わせ部材２１６を使用して、電極ボード２０４をハウジング部材２０２に結合した後であるがカバー８０４を取り付ける前に、１つ以上の弾性部材２１２を第１の距離７０４まで完全に伸長または部分的に圧縮することができる。例では、図９に示されるように、カバー８０４がハウジング部材２０２に結合されているときに、１つ以上の弾性部材２１２を第２の距離９０２まで圧縮することができる。例では、第２の距離９０２は、第１の距離７０４よりも短くてもよい。したがって、弾性部材２１２は、電極ボード２０４に力を加え、それをカバー８０４に押し付けて、適切に接触することができる。
【００３７】
例では、電極ボード２０４からハウジング部材２０２までの第１の距離７０４は、ハウジング部材の製造中に、詰め木などの特別な固定具を使用することによって、所定の寸法に設定することができる。第１の距離７０４は、静電容量式ボタンインターフェースアセンブリ１００が、スタックのすべての部品からの公差の合理的な変動を受け入れて、電極ボード２０４が最終組み立て時に常にガラスの下側と接触することを保証することを可能にすることができる。このように、電極ボード２０４とカバー８０４との間の接触を維持することが可能であり得、確実な静電容量式タッチボタンを提供する。
【００３８】
例では、ボルト６０２は、カバー８０４がハウジング部材２０２に結合されたときに、ハウジング部材２０２ともはや接触していないボルトヘッド６０６を含むことができる。カバー８０４が静電容量式ボタンインターフェースアセンブリ１００に取り付けられるときに、ボルトヘッド６０６をハウジング部材２０２から変位させることを可能にすることによって、電極ボード２０４がハウジング部材２０２に近づくことができ、電極ボード２０４とカバー８０４との間の接触を維持しながら公差の変動を受け入れることができる。
【００３９】
例では、静電容量式ボタンインターフェースアセンブリ１００は、ディスプレイパネル１０４をさらに備えることができる。例では、ディスプレイパネル１０４は、発光ダイオードディスプレイパネル、プラズマディスプレイパネル、液晶ディスプレイ、ＣＲＴディスプレイ、ＥＬディスプレイ、電子ペーパディスプレイ、または当該技術分野で知られている他の任意のディスプレイタイプを備えることができる。ディスプレイパネル１０４は、機器から遠隔測定および状態を受信するために、またはコマンドインターフェースをナビゲートするために、ユーザーによって使用することができる。
【００４０】
ディスプレイパネル１０４を含む例では、電極ボード２０４は、電極ボード２０４がハウジング部材２０２に結合されるときに、ディスプレイパネルの周囲を囲むようにさらに構成することができる。これによって、１つのシームレスインターフェースでディスプレイがボタンと同一平面になることができる。
【００４１】
例では、静電容量式ボタンインターフェースアセンブリ１００は、各バネ蓋が１つ以上の弾性部材２１２の各弾性部材２１２と電極ボード２０４との間に配置された１つ以上のバネ蓋２１４をさらに含むことができる。例示的なバネ蓋２１４の詳細が図５に示されている。例では、１つ以上のバネ蓋２１４は、プロテクター部分５０２と結合部分５０４を含むことができる。結合部分５０４は、バネ蓋２１４を弾性部材２１２に結合または位置合わせするのに役立つことができる。プロテクター部分５０２は、静電容量式ボタンインターフェースアセンブリ１００が機器または環境ノイズによる振動を受けるときに、組み立て後に１つ以上の弾性部材２１２と電極ボード２０４との間の摩耗を回避するのに役立つことができる。例では、１つ以上のバネ蓋２１４は、プラスチック、エラストマー材料、または当業者に知られている他の任意の材料を含むことができる。
【００４２】
例では、ハウジング部材２０２は、１つ以上の弾性部材シート７０２をさらに含むことができる。例えば、図７は、弾性部材シート７０２の断面図および詳細を示している。例示的な弾性部材シート７０２は、ハウジング部材２０２に結合されたシリンダーを備えている。しかし、当業者によって理解されるように、弾性部材シート７０２の他のフォーマットが可能である。
【００４３】
例では、ハウジング部材は、１つ以上の位置合わせ部材シート７０８をさらに含むことができる。１つ以上の位置合わせ部材シート７０８は、電極ボード２０４をハウジング部材２０２に結合する前に１つ以上の位置合わせ部材２１６の位置決めおよび位置合わせを行うことができるため、静電容量式ボタンインターフェースアセンブリ１００の組み立てを容易にすることができる。
【００４４】
その詳細が図７に示されている図に示された例では、位置合わせ部材シート７０８は、ハウジング部材２０２のベースの差し込み開口部である。開口部は、ボルト６０２のシャフトが通過するのに十分大きいサイズであるが、ボルトヘッド６０６が載る縁を提供するのに十分小さいサイズである。差し込みによって、ボルトヘッド６０６がハウジング部材２０２の底面と同一平面になることができる。しかし、当業者によって理解されるように、他の位置合わせ部材シートフォーマットが可能である。
【００４５】
例では、位置合わせ部材シート７０８は、ハウジング部材２０２に結合されたシリンダー７１０をさらに備えることができる。シリンダー７１０は、組み立て中にボルト６０２の位置を保つことができ、ハウジング部材２０２の縁７０６の下にある高さのサイズにすることができる。これは、第２の距離９０２が第１の距離７０４よりも小さい場合に、ナット６０４のための間隙を可能にすることができる。例では、縁７０６とシリンダー７１０の上部との間の高さの差は、電極ボード２０４の外側に配置されたナット６０４の部分の高さ以上であり得る。
【００４６】
図１０は、一例による方法１０００を示している。方法１０００を使用して、静電容量式ボタンインターフェースアセンブリ１００を組み立てることができる。
【００４７】
方法１０００は、ステップ１００２から始まる。ステップ１００２では、ハウジング部材２０２が提供される。例では、ハウジング部材２０２は、プラスチック、金属、または当該技術分野で知られている他の任意の材料で形成することができる。ハウジング部材２０２は、機械加工、鋳造、射出成形、または当業者に知られている任意の方法を介して成形することができる。
【００４８】
方法１０００は、ステップ１００４に続く。ステップ１００４では、図７の詳細に見られるように、第１の端部２１８ａと第２の端部２１８ｂを有する１つ以上の弾性部材２１２が、第１の端部２１８ａのハウジング部材２０２に配置されている。
【００４９】
例えば、図４は、組み合わされた電極ボードとハウジング部材アセンブリ２００の分解図を示している。弾性部材２１２は、電極ボード２０４の方向に第２の端部２１８ｂを有し、ハウジング部材２０２の方向に第１の端部２１８ａを有していることが分かる。この配置は、図７の詳細にも見ることができる。
【００５０】
方法１０００は、ステップ１００６に続く。ステップ１００６では、電極ボードは、１つ以上の弾性部材の第２の端部２１８ｂに配置されている。
【００５１】
方法１０００は、ステップ１００８に続く。ステップ１００８では、電極ボード２０４は、１つ以上の位置合わせ部材２１６を使用して、ハウジング部材２０２に対して位置合わせされる。例えば、図７に見られるように、ボルト６０２は、ハウジング部材２０２内の位置合わせ部材シート７０８にねじ込まれ、電極ボード２０４に圧入されているナット６０４に結合されている。
【００５２】
方法１０００は、ステップ１０１０に続く。ステップ１０１０では、カバー８０４は、カバー８０４が電極ボード２０４と接触し電極ボード２０４に力を加えるように、ハウジング部材２０２に結合されている。
【００５３】
例では、カバー８０４は、第２の結合部材８０６を使用して、第１の結合部材８０２に最初に取り付けることができる。例えば、図８は、結合部材８０２および８０６、カバー８０４、ならびに組み合わされた電極ボードとハウジング部材アセンブリ２００の組み立てられていない図を示しており、図９は、同じ組み立てられたものの断面図を示している。例示的な結合部材８０２および８０６は、環状であり、ねじ切りされている。カバー８０４を第１の結合部材８０２に挿入することができ、結合部材にカバー８０４を締め付けるために、第２の結合部材８０６を第１の結合部材８０２にねじ込むことができる。
【００５４】
例では、図９に見られるように、組み合わされた電極ボードとハウジング部材アセンブリ２００を機器ハウジング９０４内に配置することができる。次いで、第１の結合部材８０２のねじ山を機器ハウジング９０４のねじ山に向けることによって、組み合わされたカバー８０４と結合部材８０２、８０６アセンブリを機器ハウジング９０４に結合することができる。したがって、カバー８０４をスタック内の電極ボード２０４に向けて移動させ、電極ボード２０４に対して圧力を加えることが可能であり得る。これは、１つ以上の弾性部材２１２の長さを第１の距離７０４から第２の距離９０２まで短くし、電極ボード２０４とカバー８０４との間の強固な接触を保証することができる。
【００５５】
例では、方法１０００は、図１１に示される方法１１００のステップのいずれかをさらに含むことができる。例えば、方法１０００は、ステップ１１０１を含むことができる。ステップ１１０２では、バネ蓋２１４は、１つ以上の弾性部材２１２の各弾性部材２１２の第２の端部２１８ｂに配置することができる。例えば、図３、図５、図７および図９に見られるように、バネ蓋２１４は、弾性部材２１２の端部に配置されている。
【００５６】
方法１０００は、ステップ１１０４をさらに含むことができる。ステップ１１０４では、ナット６０４を電極ボード２０４に圧入することができる。例えば、図６および図７に見られるように、ナット６０４を電極ボード２０４に圧入する。
【００５７】
例では、方法１０００は、ステップ１１０５および１１１１を含むことができる。ステップ１１０５では、１つ以上の詰め木をハウジング部材の縁７０６に沿って配置することができる。例えば、１つ以上の詰め木（図示せず）を、ステップ１００８の前に、電極ボード２０４からハウジング部材２０２の表面までの所定の第１の距離７０４を維持するのに役立つように配置することができる。
【００５８】
ステップ１１１１では、１つ以上の詰め木を取り外すことができる。例えば、１つ以上の詰め木は、ステップ１００８後に取り外すことができる。組み合わされた電極ボードとハウジング部材アセンブリ２００によって維持される第１の距離７０４は、静電容量式ボタンインターフェースアセンブリ１００がすべての寄与する部品からの公差の合理的な変動を受け入れることを可能にし、電極ボード２０４がカバー８０４の下側と接触を保つことを保証する。
【００５９】
方法１０００は、ステップ１１０６をさらに含むことができる。ステップ１１０６では、電極ボード２０４は、ディスプレイパネル１０４の周囲の周りに位置合わせすることができる。例えば、図２および図９は、各々、電極ボード２０４およびディスプレイパネル１０４の斜視図および断面図を示している。
【００６０】
例では、ステップ１００８は、ステップ１１０８および１１１０をさらに含むことができる。ステップ１１０８では、ボルトは、ハウジング部材の開口部にねじ込むことができる。ステップ１１１０では、ボルトは、電極ボードに配置されたナットに締め付けることができる。
【００６１】
例では、方法１０００は、カバー８０４が電極ボード２０４に結合されていないときに、１つ以上の弾性部材２１２を第１の距離７０４に圧縮することができ、カバー８０４が電極ボード２０４に結合されるときに、１つ以上の弾性部材２１２を第２の距離９０２に圧縮すると規定することができる。例では、第１の距離７０４は、第２の距離９０２よりも大きい。例えば、図７は、カバー８０４のない組み合わされた電極ボードとハウジング部材アセンブリ２００を示している。第１の距離７０４は、ハウジング部材２０２の縁７０６と電極ボード２０４との間の所定の距離に加えて、弾性部材２１２と接触するハウジング部材２０２の一部とハウジング部材２０２の縁７０６との間の距離を少なくとも含む。図９は、完全に組み立てられた静電容量式ボタンインターフェースアセンブリ１００および第２の距離９０２を示している。
【００６２】
カバー８０４を取り付けるときに１つ以上の弾性部材２１２を第１の距離７０４から第２の距離９０２に圧縮することによって、静電容量式ボタンインターフェースアセンブリ１００の部品に大きな公差を受け入れることが可能であり得、その電極ボード２０４は、困難なプロセス条件では、組み立て後にカバー８０４と接触したままである。
【００６３】
例では、方法１０００は、カバー８０４がハウジング部材２０２に結合された後に、ボルト６０２のボルトヘッド６０６がハウジング部材２０２ともはや接触しないと規定することができる。これによって、ボルト６０２と１つ以上の位置合わせ部材２１６は、カバー８０４が組み立てられる前には第１の距離７０４の間隔を維持し、カバー８０４の取り付け後には電極ボード２０４とカバー８０４との間の確実な接触に必要ないかなる第２の距離９０２の間隔も提供することができる。
【００６４】
上記の実施形態の詳細な説明は、本発明者が本明細書の範囲内にあると考えるすべての実施形態の網羅的な説明ではない。実際、当業者は、上記の実施形態の特定の要素を種々組み合わせてまたは省略して、さらなる実施形態を作成することができ、このようなさらなる実施形態は、本明細書の範囲および教示の範囲に入ることを認識するであろう。上記の実施形態を全体的または部分的に組み合わせて、本明細書の範囲および教示の範囲内で追加の実施形態を作成することができることも当業者には明らかであろう。
【００６５】
したがって、特定の実施形態が例示の目的で本明細書に記載されているが、当業者が認識するように、本明細書の範囲内で種々の同等の修正が可能である。本明細書で提供される教示は、上記で説明され、添付の図に示されている実施形態だけでなく、他のタッチセンサーにも適用することができる。したがって、上記の実施形態の範囲は、以下の特許請求の範囲から決定されるべきである。
【図１】
2021532554.tif 000003
【図２】
2021532554.tif 000004
【図３】
2021532554.tif 000005
【図４】
2021532554.tif 000006
【図５】
2021532554.tif 000007
【図６】
2021532554.tif 000008
【図７】
2021532554.tif 000009
【図８】
2021532554.tif 000010
【図９】
2021532554.tif 000011
【図１０】
2021532554.tif 000012
【図１１】
2021532554.tif 000013
【国際調査報告】
2021532554.tif 000014
2021532554.tif 000015
2021532554.tif 000016